(57)【要約】本願はマイナスイオン発生器組立品と空気調節器を開示する。その中で、前記マイナスイオン発生器組立品は、取付ケース、電気制御ボードとマイナスイオン発生器を含み、前記取付ケースは第一取付エリアと第二取付エリアとを有し、前記電気制御ボードは前記第一取付エリア内に設置され、前記マイナスイオン発生器は前記電気制御ボードと電気的に接続され、前記マイナスイオン発生器は前記第二取付エリア内に設置されている。【選択図】図５
2020532325.tif 000002
【特許請求の範囲】
【請求項１】
第一取付エリアと第二取付エリアとを有する取付ケースと、
前記第一取付エリア内に設置されている電気制御ボードと、
前記電気制御ボートと電気的に接続され、前記第二取付エリア内に設置されているマイナスイオン発生器とを含む、マイナスイオン発生器組立品。
【請求項２】
前記取付ケースは、
第一取付溝と第二取付溝とが設置されているケース本体と、
前記第一取付エリアが形成されるように前記第一取付溝に被せられる電気制御ケースカバーと、
前記第二取付エリアが形成されるように前記第二取付溝に被せられるマイナスイオンケースカバーとを含む、
請求項１に記載のマイナスイオン発生器組立品。
【請求項３】
前記取付ケースは更に防護フードを含み、前記第二取付溝は第二底壁と前記第二底壁の周縁を囲んで設置されている第二側壁とを含み、前記第二底壁には前記マイナスイオン発生器の発生部が貫通する貫通孔が設置され、前記防護フードは前記第二底壁における前記マイナスイオンケースカバーから離れた一方の側に着脱可能に設置され、前記防護フードにはマイナスイオンが流れ出るグリッド穴が設置されている、
請求項２に記載のマイナスイオン発生器組立品。
【請求項４】
前記第二底壁には第一係止穴が設置され、前記第二側壁には第二係止穴が設置され、
前記防護フードはパネルと前記パネルの両端のそれぞれに設置されている第一側板及び第二側板とを含み、前記パネルには前記グリッド穴が設置され、前記パネルの縁には前記第一係止穴に合わせられて係止される第一留め具が設置され、前記第二側板は前記パネルから突出して設置され、且つ前記第二側板における前記第一側板に対向する内壁面には前記第二係止穴に合わせられて係止される第二留め具が設置されている、
請求項３に記載のマイナスイオン発生器組立品。
【請求項５】
第二底壁における前記貫通孔の周縁にある領域には円弧形の位置制限リブが設置されている、
請求項３に記載のマイナスイオン発生器組立品。
【請求項６】
前記第一取付溝は第一底壁と前記第一底壁の周縁を囲んで設置されている第一側壁とを含み、前記第一底壁には支持ブロックが設置され、前記第一側壁の内側面には保持具が設置され、前記電気制御ボードの一方の面は前記支持ブロックに支持され、前記電気制御ボードの他方の面は前記保持具に保持されている、
請求項２に記載のマイナスイオン発生器組立品。
【請求項７】
前記ケース本体における前記第一取付溝の縁部に沿う領域には第一配線溝が設置され、前記ケース本体における前記第二取付溝の縁部に沿う領域には第二配線溝が設置され、前記第一配線溝と前記第二配線溝の延伸方向は同じであり且つ互いに連通している、
請求項２に記載のマイナスイオン発生器組立品。
【請求項８】
前記第一配線溝の縁部には若干の第一配線クリップが互いに離間して設置され、前記第一配線クリップは前記第一配線溝の縁部から上へと延びる弾性アームと前記弾性アームの自由端に設置されているフック部とを含み、隣接する二つの前記第一配線クリップのフック部の向きが逆である、
請求項１に記載のマイナスイオン発生器組立品。
【請求項９】
マイナスイオン発生器組立品を含む空気調節器であって、前記マイナスイオン発生器組立品は空気調節器の吸気面に設置され、
前記マイナスイオン発生器組立品は、
第一取付エリアと第二取付エリアとを有する取付ケースと、
前記第一取付エリア内に設置されている電気制御ボードと、
前記電気制御ボートと電気的に接続され、前記第二取付エリア内に設置されているマイナスイオン発生器とを含む、空気調節器。
【請求項１０】
前記空気調節器はフレームを含み、前記フレームの頂部には収容溝が設置され、前記収容溝内には挿入ブロックが設置され、
前記取付ケースにおける前記電気制御ボードと前記マイナスイオン発生器との間の領域には二つの弾性クリップが互いに離間して対向するように設置され、前記マイナスイオン発生器組立品を前記収容溝に固設するように、前記挿入ブロックは二つの前記弾性クリップの間に挿設して固定されている、
請求項９に記載の空気調節器。
【請求項１１】
前記取付ケースの両端にはそれぞれ第一取付穴と第二取付穴とが設置され、前記収容溝の溝壁には前記設置された第一取付穴に対応するように第一接続柱が設置され、前記収容溝の溝壁には前記第二取付穴に対応するように第二接続穴が設置され、前記第二取付穴と前記第二接続穴内には接続具が穿設されている、
請求項１０に記載の空気調節器。
【請求項１２】
前記取付ケースは、
第一取付溝と第二取付溝とが設置されているケース本体と、
前記第一取付エリアが形成されるように前記第一取付溝に被せられる電気制御ケースカバーと、
前記第二取付エリアを形成されるように前記第二取付溝に被せられるマイナスイオンケースカバーとを含む、
請求項９に記載の空気調節器。
【請求項１３】
前記取付ケースは更に防護フードを含み、前記第二取付溝は第二底壁と前記第二底壁の周縁を囲んで設置されている第二側壁とを含み、前記第二底壁には前記マイナスイオン発生器の発生部が貫通する貫通孔が設置され、前記防護フードは前記第二底壁における前記マイナスイオンケースカバーから離れた一方の側に着脱可能に設置され、前記防護フードにはマイナスイオンが流れ出るグリッド穴が設置されている、
請求項１２に記載の空気調節器。
【請求項１４】
前記第二底壁には第一係止穴が設置され、前記第二側壁には第二係止穴が設置され、
前記防護フードはパネルと前記パネルの両端のそれぞれに設置されている第一側板及び第二側板とを含み、前記パネルには前記グリッド穴が設置され、前記パネルの縁には前記第一係止穴に合わせられて係止される第一留め具が設置され、前記第二側板は前記パネルから突出して設置され、且つ前記第二側板における前記第一側板に対向する内壁面には前記第二係止穴に合わせられて係止される第二留め具が設置されている、
請求項１３に記載の空気調節器。
【請求項１５】
前記第一取付溝は第一底壁と前記第一底壁の周縁を囲んで設置されている第一側壁とを含み、前記第一底壁には支持ブロックが設置され、前記第一側壁の内側面には保持具が設置され、前記電気制御ボードの一方の面は前記支持ブロックに支持され、前記電気制御ボードの他方の面は前記保持具に保持されている、
請求項１２に記載の空気調節器。
【請求項１６】
前記ケース本体における前記第一取付溝の縁部に沿う領域には第一配線溝が設置され、前記ケース本体における前記第二取付溝の縁部に沿う領域には第二配線溝が設置され、前記第一配線溝と前記第二配線溝の延伸方向は同じであり且つ互いに連通している、
請求項１２に記載の空気調節器。
【請求項１７】
前記第一配線溝の縁部には若干の第一配線クリップが互いに離間して設置され、前記第一配線クリップは前記第一配線溝の縁部から上へと延びる弾性アームと前記弾性アームの自由端に設置されているフック部とを含み、隣接する二つの前記第一配線クリップのフック部の向きが逆である、
請求項９に記載の空気調節器。
【発明の詳細な説明】
【技術分野】
【０００１】
本願は空気調節の技術分野に関し、特にマイナスイオン発生器組立品及び空気調節器に関する。
【背景技術】
【０００２】
マイナスイオン発生器が発生するマイナスイオンは空気品質の向上において主に三つの作用を発揮する。第一に、マイナスイオンは空気中で化学反応を起こして活性物質を作り出し、空気中のばい菌、真菌などの微生物を分解し、殺菌の役割を果たせる。第二に、マイナスイオンは強酸化性活性物質を作り出し、空気中の異臭物質に対して酸化分解を行い、異臭を取り除く役割を果たせる。第三に、マイナスイオンの濃度が一定値に達すると、マイナスイオンは空気中のほこりを帯電させ、粉塵を沈降させられる。空気品質を改善するために、従来のエアコンにはマイナスイオン発生器が設置されているものの、マイナスイオン発生器の増設はエアコンの部品数の増加につながり、組立の効率が低くなる。
【発明の概要】
【発明が解決しようとする課題】
【０００３】
本願の主な目的は、マイナスイオン発生器組立品の部品数を減少し、マイナスイオン発生器組立品の取付効率を向上させるマイナスイオン発生器組立品を提案する。
【課題を解決するための手段】
【０００４】
上記目的を実現するために、本願が提案するマイナスイオン発生器組立品は、第一取付エリアと第二取付エリアとを有する取付ケースと、前記第一取付エリア内に設置されている電気制御ボードと、前記電気制御ボードと電気的に接続されているマイナスイオン発生器とを含み、前記マイナスイオン発生器は前記第二取付エリア内に設置されている。
【０００５】
一実施例において、前記取付ケースは、第一取付溝と第二取付溝が設置されているケース本体と、前記第一取付エリアが形成されるように前記第一取付溝に被せられる電気制御ケースカバーと、前記第二取付エリアが形成されるように前記第二取付溝に被せられるマイナスイオンケースカバーとを含む。
【０００６】
一実施例において、前記取付ケースは更に防護フードを含み、前記第二取付溝は第二底壁と前記第二底壁の周縁を囲んで設置されている第二側壁とを含み、前記第二底壁には前記マイナスイオン発生器の発生部が貫通する貫通孔が設置され、前記防護フードは前記第二底壁における前記マイナスイオンケースカバーから離れた一方の側に着脱可能に設置され、前記防護フードにはマイナスイオンが流れ出るグリッド穴が設置されている。
【０００７】
一実施例において、前記第二底壁には第一係止穴が設置され、前記第二側壁には第二係止穴が設置され、前記防護フードはパネルと前記パネルの両端のそれぞれに設置されている第一側板及び第二側板とを含み、前記パネルには前記グリッド穴が設置され、前記パネルの縁には前記第一係止穴に合わせられて係止される第一留め具が設置され、前記第二側板は前記パネルから突出して設置され、且つ前記第二側板における前記第一側板に対向する内壁面には前記第二係止穴に合わせられて係止される第二留め具が設置されている。
【０００８】
一実施例において、第二底壁における前記貫通孔の周縁にある領域には円弧形の位置制限リブが設置されている。
【０００９】
一実施例において、前記第一取付溝は第一底壁と前記第一底壁の周縁を囲んで設置されている第一側壁とを含み、前記第一底壁には支持ブロックが設置され、前記第一側壁の内側面には保持具が設置され、前記電気制御ボードの一方の面は前記支持ブロックに支持され、前記電気制御ボードの他方の面は前記保持具に保持されている。
【００１０】
一実施例において、前記ケース本体における前記第一取付溝の縁部に沿う領域には第一配線溝が設置され、前記ケース本体における前記第二取付溝の縁部に沿う領域には第二配線溝が設置され、前記第一配線溝と前記第二配線溝の延伸方向は同じであり且つ互いに連通している。
【００１１】
一実施例において、前記第一配線溝の縁部には若干の第一配線クリップが互いに離間して設置され、前記第一配線クリップは前記第一配線溝の縁部から上へと延びる弾性アームと前記弾性アームの自由端に設置されているフック部とを含み、隣接する二つの前記第一配線クリップのフック部の向きが逆である。
【００１２】
本願は更に空気調節器を提案する。前記空気調節器は前記マイナスイオン発生器組立品を含み、前記マイナスイオン発生器組立品は前記空気調節器の吸気面に設置され、前記マイナスイオン発生器組立品は、
第一取付エリアと第二取付エリアとを有する取付ケースと、前記第一取付エリア内に設置されている電気制御ボードと、前記電気制御ボードと電気的に接続されているマイナスイオン発生器とを含み、前記マイナスイオン発生器は前記第二取付エリア内に設置されている。
【００１３】
一実施例において、前記空気調節器はフレームを含み、前記フレームの頂部には収容溝が設置され、前記収容溝内には挿入ブロックが設置され、前記取付ケースにおける前記電気制御ボードと前記マイナスイオン発生器との間の領域には二つの弾性クリップが互いに離間して対向するように設置され、前記マイナスイオン発生器組立品を前記収容溝の中に固設するように、前記挿入ブロックは二つの前記弾性クリップの間に挿設して固定されている。
【００１４】
一実施例において、前記取付ケースの両端にはそれぞれ第一取付穴と第二取付穴とが設置され、前記収容溝の溝壁には前記設置された第一取付穴に対応するように第一接続柱が設置され、前記収容溝の溝壁には前記第二取付穴に対応するように第二接続穴が設置され、前記第二取付穴と前記第二接続穴内には接続具が穿設されている。
【００１５】
本願が提案するマイナスイオン発生器組立品はマイナスイオン発生器と電気制御ボードを一体構造として設置する（即ち、電気制御ボードとマイナスイオン発生器を何れも取付ケース内に設置し、電気制御ボードとマイナスイオン発生器を取付ケースと一体構造体に構成させる）ので、部品数を減少できる。また、二回である取付手順を一回で完成するように改善でき、よってマイナスイオン発生器組立品の取付効率を向上できる。
【図面の簡単な説明】
【００１６】
本願実施例及び従来技術の技術案をより明確に説明するため、以下では、実施例或いは従来技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【図１】本願の空気調節器の一実施例の構造模式図である。
【図２】図１の背面構造模式図である。
【図３】図２のＡでの部分拡大図である。
【図４】図２のＢでの部分拡大図である。
【図５】図１におけるマイナスイオン発生器組立品の分解構造模式図である。
【図６】図５のＣでの部分拡大図である。
【図７】図１におけるマイナスイオン発生器組立品のもう一つの分解構造模式図である。
【図８】図７のＤでの部分拡大図である。
【図９】図７のＥでの部分拡大図である。
【図１０】マイナスイオン発生器組立品とフレームの取付後の構造模式図である。
【図１１】図１０のＦでの部分拡大図である。
【図１２】図１０のＧでの部分拡大図である。
【００１７】
添付図面を参照し、実施例と結び付けて本願目的の実現、機能特徴及び利点を説明する。
【発明を実施するための形態】
【００１８】
以下では、本願実施例における添付図面と結び付け、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属す。
【００１９】
もし本願実施例で方向性指示（例えば上、下、左、右、前、後…）に関わる場合、当該方向性指示はある特定の姿勢（添付図面に示す）における各部品間の相対的位置関係、運動状況等を説明するためだけに用いられ、もし当該特定の姿勢が変わる場合、当該方向性指示もそれ相当に変わることは説明しておくべきであろう。
【００２０】
また、本願実施例において「第一」、「第二」等の説明に関わる場合、当該「第一」、「第二」等の説明は、説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもいい。また、各実施例の技術案はお互いに組み合わせることができる。ただし、当業者が実現できることはその基礎である。技術案の組み合わせに矛盾が生じるか、実現できない場合には、このような技術案の組み合わせが存在しない、且つ本願が請求する保護範囲にないと理解すべきである。
【００２１】
本願は空気調節器を提案する。図１と図２に示すように、当該空気調節器は壁掛け式エアコン室内機１とエアコン室外機（図示せず）とを含み、前記壁掛け式エアコン室内機１にマイナスイオン発生器組立品１０が設置されている。
【００２２】
具体的に、図２、図７及び図９を参照されたい。本実施例では、前記壁掛け式エアコン室内機１はフレームを含み、前記フレームのトップ面は吸気面であり、前記吸気面の裏側に収容溝が設置され、前記収容溝には挿入ブロック（図示せず）が設けられている。取付ケース１００における電気制御ボード２００とマイナスイオン発生器３００との間の領域には二つの弾性クリップ１１６が離間して対向するように設置されている。前記マイナスイオン発生器組立品１０を前記収容溝に固設するように、前記挿入ブロックは二つの前記弾性クリップ１１６の間に挿設して固定されている。従来のエアコンの電気制御ケースの多くはエアコン室内機の右端に設置されている。このように、エアコン室内機の長さは比較的長くなる。本願ではマイナスイオン発生器組立品１０をエアコン室内機の頂部に設置するので、エアコン室内機の頂部空間を十分に利用することで、エアコン室内機の長さが長くなりすぎることを回避し、ひいてはエアコン室内機の小型化を実現することができる。
【００２３】
ここで説明すべきであるように、マイナスイオン発生器組立品１０はマイナスイオン発生器３００と電気制御ボード２００を同時に含むため、マイナスイオン発生器組立品１０の長さが比較的長くなる。マイナスイオン発生器組立品１０と収容溝を安定して固定するために、本実施例では、マイナスイオン発生器組立品１０の長さ方向の中間位置（即ち、取付ケース１００における電気制御ボード２００とマイナスイオン発生器３００との間の領域）に近接して、二つの弾性クリップ１１６が設置されている。相応して、収容溝には二つの前記弾性クリップ１１６に適合する挿入ブロックが設置されている。このように、前記挿入ブロックと弾性クリップ１１６が固定された後、マイナスイオン発生器組立品１０の中部と収容溝を安定して接続できる。
【００２４】
更に、マイナスイオン発生器組立品１０の両端を収容溝と安定して接続するために、本願の一実施例において、前記取付ケース１００の両端にはそれぞれ第一取付穴１１９ａと第二取付穴１１９ｂが設置されている。前記収容溝の溝壁には前記設置された第一取付穴１１９ａに対応するように第一接続柱が設置されている。前記収容溝の溝壁には前記第二取付穴１１９ｂに対応するように第二接続穴が設置されている。前記第二取付穴と前記第二接続穴内には接続具が穿設されていることで、マイナスイオン発生器組立品１０の両端と収容溝とを安定して接続できる。
【００２５】
図２から図８を参照し、以下では前記マイナスイオン発生器組立品１０の構造について詳しく説明する。本願が提案するマイナスイオン発生器組立品１０は、取付ケース１００と、電気制御ボード２００と、マイナスイオン発生器３００とを含み、前記取付ケース１００は第一取付エリアと第二取付エリアを有し、前記電気制御ボード２００は前記第一取付エリア内に設置され、前記マイナスイオン発生器３００は前記電気制御ボード２００と電気的に接続され、前記マイナスイオン発生器３００は前記第二取付エリア内に設置されている。
【００２６】
本願が提案するマイナスイオン発生器組立品１０はマイナスイオン発生器３００と電気制御ボード２００を一体構造として設置し、即ち、電気制御ボード２００とマイナスイオン発生器３００を何れも取付ケース１００内に設置し、電気制御ボード２００とマイナスイオン発生器３００が取付ケース１００と一体構造体を構成するため、部品数を減少でき、そして二つの取付ステップ（一つは電気制御ボード２００の取付で、もう一つはマイナスイオン発生器３００の取付）を一つの取付ステップで完成する（マイナスイオン発生器組立品１０を空気調節器に取り付けるだけでよい）ように改善できる。従って、マイナスイオン発生器組立品１０の取付効率を向上できる。
【００２７】
更に、図５を参照し、以下では前記取付ケース１００の構造について詳しく説明する。前記取付ケース１００は、ケース本体１１０と、電気制御ケースカバー１２０と、マイナスイオンケースカバー１３０とを含み、前記ケース本体１１０には第一取付溝と第二取付溝が設置され、前記電気制御ケースカバー１２０は、前記第一取付エリアが形成されるように前記第一取付溝に被せられており、前記マイナスイオンケースカバー１３０は、前記第二取付エリアが形成されるように前記第二取付溝に被せられる。ケース本体１１０にそれぞれ電気制御ケースカバー１２０とマイナスイオンケースカバー１３０が設置されているため、電気制御ケースカバー１２０とマイナスイオンケースカバー１３０を個別に開けることができ、電気制御ボード２００とマイナスイオン発生器３００の補修或いは交替を便利に行うことができる。
【００２８】
しかしながら、本願の設計はこれに限定せず、他の実施例において、前記電気制御ケースカバー１２０と前記マイナスイオンケースカバー１３０は一体成形構造として設置されてもよい。
【００２９】
更に、続けて図５を参照し、マイナスイオン発生器の発生部３１０（即ち、カーボンブラシ電極ヘッド）が帯電体であることを考慮し、使用者の感電を避けるために、本願の一実施例において、前記取付ケース１００は更に防護フード１４０を含む。具体的に、前記第二取付溝は第二底壁と前記第二底壁の周縁を囲んで設置されている第二側壁とを含み、前記第二底壁には前記マイナスイオン発生器３００の発生部３１０が貫通する貫通孔が設置され、前記防護フード１４０は前記第二底壁における前記マイナスイオンケースカバー１３０から離れた側に着脱可能に設置され、前記防護フード１４０にはマイナスイオンが流れ出るグリッド穴１４１が設置されている。
【００３０】
本願が提案するマイナスイオン発生器組立品１０には着脱可能な防護フード１４０が設置されているため、以下の三つの有益効果を得ることが可能である。先ず、前記取付フードはまとめて複数の発生部３１０を覆って設置できるため、防護フード１４０の組立効率が向上でき、次に、マイナスイオン発生器３００は取付ケース１００内に設置され、防護フード１４０はマイナスイオン発生器３００の発生器を覆って発生器の外部に設置されているため、取付ケース１００と防護フード１４０は発生部３１０を保護することができ、従って、マイナスイオン発生器３００の寿命を延長することができ、最後に、本文で提案されたマイナスイオン発生器自身は防護フード１４０を備えるため、マイナスイオン発生器を空気調節器に取り付けると同時に、あわせて防護フード１４０の取付も完成できるため、マイナスイオン発生器の取付手順を簡略化し、マイナスイオン発生器と空気調節器の取付効率が向上できる。
【００３１】
更に、図５と図６を参照し、以下では前記防護フード１４０と前記ケース本体１１０の取付構造について詳しく説明する。前記防護フード１４０と前記ケース本体１１０はスライド係止構造で接続され、具体的に、前記第二底壁には第一係止穴が設置され、前記第二側壁には第二係止穴が設置され、前記防護フード１４０はパネルと前記パネルの両端のそれぞれに設置されている第一側板及び第二側板とを含み、前記パネルには前記グリッド穴１４１が設置され、前記パネルの縁には前記第一係止穴に適切に係止される第一留め具１４２が設置され、前記第二側板は前記パネルから突出して設置され、且つ前記第二側板における前記第一側板に対向する内壁面には前記第二係止穴に適切に係止される第二留め具１４３が設置され、前記第一留め具１４２が前記第一係止穴に適切に係止されると、防護フード１４０の鉛直方向での位置が固定され、第二留め具１４３が前記第二係止穴に適切に係止されると、防護フード１４０の水平方向での位置が固定される。
【００３２】
具体的に、図３を参照し、前記第一係止穴は第一方向に順に接続される挿入区と保持区を含み、前記第一留め具１４２は前記挿入区に挿入されてから前記第一方向に沿って既定された距離移動すると、前記保持区と係止固定される。具体的に、前記第一留め具１４２は第一弾性アームと前記第一弾性アームの自由端に設置されている第一係止突起とを含み、前記挿入区の面積は前記第一係止突起の面積より大きく、前記保持区の面積は前記第一弾性アームの面積より大きく、前記第一係止突起の面積より小さい。このように、第一係止突起の自由端は、保持区にスライドすると、保持区と係止固定できる。
【００３３】
図４に示すように、前記第二係止穴の下周縁には係止ブロックが設けられ、前記第二留め具１４３は前記側板の内壁面から前記第一方向に延びる第二弾性アームと前記第二弾性アームの自由端に設置されている第二係止突起とを含み、前記第二弾性アームが前記第二係止穴に挿入されると、前記第二係止突起は前記係止ブロックに合わせられて係止される。
【００３４】
更に、続けて図３を参照し、発生部３１０が貫通孔を通ってから傾くことを回避するために、本願の一実施例において、第二底壁における前記貫通孔の周縁にある領域には円弧形の位置制限リブ１１１が設置され、前記円弧形の位置制限リブ１１１は発生部３１０に対して位置制限効果を有するため、発生部３１０が貫通孔を通ってから傾くことを回避し、更に発生部３１０がマイナスイオンを発生させる効果を保証することができる。
【００３５】
更に、図7と図８を参照し、以下では前記電気制御ボード２００の取付構造について詳しく説明する。前記第一取付溝は第一底壁と前記第一底壁の周縁を囲んで設置されている第一側壁とを含み、前記第一底壁には支持ブロック１１２が設置され、前記第一側壁の内側面には保持具１１３が設置され、前記電気制御ボード２００の一方の面は前記支持ブロック１１２に支持され、前記電気制御ボードの他方の面は前記保持具１１３に保持されている。具体的に、電気制御ボード２００の係止は支持ブロック１１２と保持具１１３との間にあり、しかも支持ブロック１１２と電気制御ボード２００の下表面には隙間が形成されていることにより、電気制御ボード２００の放熱を促せる。
【００３６】
更に、図7と図８を参照し、本願が提案するマイナスイオン発生器組立品１０の取付ケース１００内には、配線を容易にするために、配線溝が設置されている。具体的に、ケース本体１１０における前記第一取付溝の縁部に沿う領域には第一配線溝１１７が設置され、ケース本体１１０における前記第二取付溝の縁部に沿う領域には第二配線溝１１８が設置され、前記第一配線溝１１７と前記第二配線溝１１８の延伸方向は同じであり、且つ互いに連通している。第一配線溝１１７と第二配線溝１１８は何れもケース本体１１０に設置されているため、マイナスイオン発生器３００と電気制御ボード２００の接続配線は第一配線溝１１７と第二配線溝１１８内に配置される。従って、配線が便利になり、且つ接続配線の露出が回避され、マイナスイオン発生器組立品１０の外観が美しくなることができる。
【００３７】
更に、接続配線が第一配線溝１１７から抜けることを防止するために、本願の一実施例において、前記第一配線溝１１７の縁部には若干の第一配線クリップ１１４が互いに離間して設置され、前記第一配線クリップ１１４は前記第一配線溝１１７の縁部から上へと延びる弾性アームと前記弾性アームの自由端に設置されているフック部とを含み、隣接する二つの前記第一配線クリップ１１４のフック部の向きが逆であり、第一配線クリップ１１４は接続配線を第一配線溝１１７内に制限することができ、よって、接続配線が第一配線溝１１７から抜けることを防止することができる。
【００３８】
好ましい態様として、前記第二配線溝１１８の縁部には若干の第二配線クリップ１１５が互いに離間して設置され、前記第二配線クリップ１１５は接続配線を第二配線溝１１８内に制限することができ、よって、接続配線が第二配線溝１１７から抜けることを防止することができる。
【００３９】
以上は、本願の好ましい実施例に過ぎず、それによって本願の特許の範囲を制限するわけではない。本願の発明構想の下で、本願の明細書及び添付図面の内容を利用してなされた等価構造変換、或いは他の関連する技術分野への直接／間接的な応用は、何れも本願の特許の保護範囲に含まれる。
【符号の説明】
【００４０】
１  壁掛け式エアコン室内機
１１３  保持具
１０  マイナスイオン発生器組立品
１１４  第一配線クリップ
１００  取付ケース
１１５  第二配線クリップ
２００  電気制御ボード
１１６  弾性クリップ
３００  マイナスイオン発生器
１１７  第一配線溝
１１０  ケース本体
１１８  第二配線溝
１２０  電気制御ケースカバー
１４１  グリッド穴
１３０  マイナスイオンケースカバー
１４２  第一留め具
１４０  防護フード
１４３  第二留め具
３１０  発生部
１１９ａ  第一取付穴
１１１  円弧形位置制限リブ
１１９ｂ  第二取付穴
１１２  支持ブロック
【図１】
2020532325.tif 000003
【図２】
2020532325.tif 000004
【図３】
2020532325.tif 000005
【図４】
2020532325.tif 000006
【図５】
2020532325.tif 000007
【図６】
2020532325.tif 000008
【図７】
2020532325.tif 000009
【図８】
2020532325.tif 000010
【図９】
2020532325.tif 000011
【図１０】
2020532325.tif 000012
【図１１】
2020532325.tif 000013
【図１２】
2020532325.tif 000014
【国際調査報告】
2020532325.tif 000015
2020532325.tif 000016
2020532325.tif 000017
2020532325.tif 000018
2020532325.tif 000019
2020532325.tif 000020